(57)【要約】【課題】万引き犯を店外に出さないように自動ドアを閉じることができるようにするとともに、自動ドアを閉じた際に、複数の人が足止めされている場合でも、万引き犯と一般客とを速やかに区別することができるようにする。【解決手段】店舗の出口に設置され、駆動部11により開閉駆動される自動ドア10と、店舗内の商品に付される万引き防止用タグ4と、自動ドア10の内側10Bにおいて万引き防止用タグ4を検出するタグ検出手段20と、係員Aが携帯する携帯用受信機30と、タグ検出手段20で万引き防止用タグ4が検出されたとき、駆動部11を制御して自動ドア10を閉状態とするとともに、係員Aが携帯する携帯用受信機30に警報信号ASを発する制御手段40とを備え、携帯用受信機30は、万引き防止用タグからのタグ信号を受信する小型高利得指向性アンテナ31と、小型高利得指向性アンテナ31で受信されたタグ信号をタグ信号の強弱に応じた強弱の音に変換して出力する音出力部32とを備えている。【選択図】図１
2019144773.tif 000002
【特許請求の範囲】
【請求項１】
店舗の出口（２）に設置され、駆動部（１１）により開閉駆動される自動ドア（１０）と、
店舗内の商品に付される万引き防止用タグ（４）と、
前記自動ドア（１０）の内側（１０Ｂ）において前記万引き防止用タグ（４）を検出するタグ検出手段（２０）と、
係員（Ａ）が携帯する携帯用受信機（３０）と、
タグ検出手段（２０）で万引き防止用タグ（４）が検出されたとき、前記駆動部（１１）を制御して前記自動ドア（１０）を閉状態とするとともに、係員（Ａ）が携帯する携帯用受信機（３０）に警報信号（ＡＳ）を発する制御手段（４０）と、
を備え、
前記携帯用受信機（３０）は、
前記万引き防止用タグ（４）からのタグ信号（ＴＳ）を受信する小型高利得指向性アンテナ（３１）と、
この小型高利得指向性アンテナ（３１）で受信されたタグ信号（ＴＳ）を当該タグ信号（ＴＳ）の強弱に応じた強弱の音に変換して出力する音出力部（３２）とを備えていることを特徴とする万引き防止システム。
【請求項２】
請求項１において、
前記音出力部（３２）にはイヤホン（３３）が接続され、イヤホン（３３）以外からは音は発せられないことを特徴とする万引き防止システム。
【請求項３】
請求項１または２において、
前記タグ検出手段（２０）はタグ検出用アンテナ（２１）を有し、
このタグ検出用アンテナ（２１）は、前記自動ドア（１０）に貼付されたフィルムアンテナで構成されていることを特徴とする万引き防止システム。
【請求項４】
請求項１または２において、
前記タグ検出手段（２０）はタグ検出用アンテナを有し、
このタグ検出用アンテナは、前記自動ドア（１０）よりも店舗内側においてゲート状に設けられたアンテナ（２３）で構成されていることを特徴とする万引き防止システム。
【請求項５】
請求項１〜４のうちいずれか一項に記載のシステムを用いた万引き防止方法であって、
前記制御手段（４０）からの警報信号（ＡＳ）を受けた係員（Ａ）は、前記携帯用受信機（３０）を携帯して前記自動ドア（１０）の内側（１０Ｂ）に行き、閉じられた自動ドア（１０）の内側（１０Ｂ）に複数の人がいる場合には、前記携帯用受信機（３０）が備える小型高利得指向性アンテナ（３１）が各人に順次向くように動き、音出力部（３２）からの音の強さに基づいて、万引きの疑いのある人を特定することを特徴とする万引き防止方法。
【発明の詳細な説明】
【技術分野】
【０００１】
本発明は、万引き防止システムおよび万引き防止方法に関するものである。
【背景技術】
【０００２】
従来、例えば特許文献１に見られるように、商品を買うようなふりをしてかすめ盗るような万引き犯が、商品を持ちながら店外に出ようとしても、ドア本体は開駆動せず閉じた状態が維持されて万引き犯を店外に出させることがない上、万引きをする意思のない一般客がＩＣタグの付された商品を持ちながら、ＩＣタグを検出する検出エリアに入ったとしても、万引き犯と取り違えることのない自動ドア装置を提供することを目的とし（同文献０００６段落）、開閉駆動部により開閉駆動されるドア本体１１と、ＩＣタグ検出エリア内に存在するＩＣタグを検出するＩＣタグ検出部３０と、前記ドア本体を開駆動させようとする人為的操作を検出して、前記開閉駆動部に前記ドア本体を開駆動させる操作検出部１３と、前記ＩＣタグ検出部が、前記ＩＣタグ検出エリア内のＩＣタグを検出している場合に、前記操作検出部１３が、前記ドア本体１１を開駆動させようとする人為的操作を検出した場合には、前記開閉駆動部による前記ドア本体１１の開駆動を禁止する禁止手段とを設けた自動ドア装置（同文献０００７段落および要約欄）が知られている。
【０００３】
そして、同文献００２５段落には、
「この発明に係る自動ドア装置によれば、万引き犯が商品を持ちながら店外に出ようとしても、ドア本体は開駆動されず閉じた状態が維持され、その万引き犯を店外に出させることなく、加えて、万引きをする意思のない一般客がＩＣタグの付された商品を持ちながら、ＩＣタグを検出するＩＣタグ検出エリアに入ったとしても、万引き犯と取り違えることがなくなる。」
と記載されている。
【０００４】
また、同文献００１４段落には、
「この発明に係る自動ドア装置にあっては、ＩＣタグ検出部によるＩＣタグの検出を、無効手段によって無効とされた場合、ＩＣタグを所持しながらＩＣタグ検出部が検出可能なＩＣタグ検出エリアに入った場合であっても、ＩＣタグ検出部はＩＣタグを検出しない。従って、ドア本体を開駆動させようとする人為的操作を行った場合、ＩＣタグを所持していないのと同様に、禁止手段によってドア本体の開駆動が禁止されることなく、通常通りにドア本体は開閉駆動部によって開駆動される。つまり、所持したＩＣタグが無効手段によって無効とされたものである場合は、ＩＣタグを所持しながらでも、ドア本体越し向こう側に行くことができる。」
と記載されている。
【０００５】
つまり、同文献には、次のように作動する自動ドア装置が記載されていることになる。
１．万引き犯が、無効化されていないＩＣタグが付された商品を持ちながら店外に出ようとしても、ドア本体は開駆動されず閉じた状態が維持されるため、その万引き犯は店外に出ることはできない。
２．万引きをする意思のない一般客が無効化されたＩＣタグの付された商品を持ちながら、ＩＣタグを検出するＩＣタグ検出エリアに入ったとしても、ＩＣタグは無効化されているのでＩＣタグを所持しながらでも万引き犯と取り違えることがなく、ドア本体越しに向こう側に行くことができる。
【０００６】
しかし、この自動ドア装置によると、万引き犯を外に出さないようにすべくドアを閉じたとき、万引き犯とほぼ同時に、あるいは少し遅れて外に出ようとする一般客がいた場合、その一般客もやはり外に出ることができなくなる。
【０００７】
このような事態の発生は、一般客にとっては迷惑なことである。
したがって、店舗としては、このような事態が発生した場合には、速やかに対応できるようにすることが望まれる。
【先行技術文献】
【特許文献】
【０００８】
【特許文献１】特開２００６−１０４６９７号公報
【発明の概要】
【発明が解決しようとする課題】
【０００９】
本発明が解決しようとする課題は、万引き犯を店外に出さないように自動ドアを閉じることができるようにするとともに、自動ドアを閉じた際に、複数の人が足止めされている場合でも、万引き犯と一般客とを速やかに区別することができる万引き防止システムおよび万引き防止方法を提供することである。
【課題を解決するための手段】
【００１０】
上記課題を解決するために本発明の万引き防止システムは、
店舗の出口に設置され、駆動部により開閉駆動される自動ドアと、
店舗内の商品に付される万引き防止用タグと、
前記自動ドアの内側において前記万引き防止用タグを検出するタグ検出手段と、
係員が携帯する携帯用受信機と、
タグ検出手段で万引き防止用タグが検出されたとき、前記駆動部を制御して前記自動ドアを閉状態とするとともに、係員が携帯する携帯用受信機に警報信号を発する制御手段と、
を備え、
前記携帯用受信機は、
前記万引き防止用タグからのタグ信号を受信する小型高利得指向性アンテナと、
この小型高利得指向性アンテナで受信されたタグ信号を当該タグ信号の強弱に応じた強弱の音に変換して出力する音出力部とを備えていることを特徴とする。
【００１１】
この万引き防止システムによれば、次のような作用効果が得られる。
万引き防止用タグが付された商品を、万引き犯（万引きを行おうとしていると推測される人。本願明細書において同じ。）が店外へ持ち出そうとすると、万引き防止用タグが自動ドアの内側においてタグ検出手段で検出され、制御手段によって、駆動部が制御されて自動ドアが閉状態にされるとともに、係員が携帯する携帯用受信機に警報信号が発せられる。
自動ドアが閉状態になることで、万引き犯は店外に出ることができなくなるとともに、携帯用受信機で警報信号を受信した係員は自動ドアの内側に急いで行く。
ここで、店外に出ることができなくなっている人が１人であれば、係員はその人が万引き犯であると特定して対応することができる。
しかし、自動ドアが閉状態になったときに、万引き犯とほぼ同時に、あるいは少し遅れて外に出ようとする一般客がいた場合には、その一般客もやはり外に出ることができなくなるため、複数の人が自動ドアの内側で足止めされる状況が生じ得る。
そのため、仮に何らの方策も講じないとしたならば、自動ドアの内側に急行した係員は、複数の人の内のだれが万引き犯であるのかを特定することは極めて困難である。
これに対し、この発明によれば、係員が携帯する携帯用受信機が、前記万引き防止用タグからのタグ信号を受信する小型高利得指向性アンテナと、この小型高利得指向性アンテナで受信されたタグ信号を当該タグ信号の強弱に応じた強弱の音に変換して出力する音出力部とを備えているので、例えば、係員が、携帯用受信機が備える小型高利得指向性アンテナが各人に順次向くように動くことによって、音出力部からの音の強さが変動するため、その音の強さに基づいて、万引きの疑いのある人を特定し、対応することが可能になる。
以上のように、この防犯システムによれば、万引き犯を店外に出さないように自動ドアを閉じることができるようにするとともに、自動ドアを閉じた際に、複数の人が足止めされている場合でも、万引き犯と一般客とを速やかに区別することができる。
【００１２】
この万引き防止システムにおいては、
前記音出力部にはイヤホンが接続され、イヤホン以外からは音は発せられない構成とすることができる。
このように構成すると、携帯用受信機の音出力部からの音が係員以外には聞こえなくなるので、上述した係員の動作をさりげないものにすることで、一般客へ与えるおそれのある不快感を小さくすることができる。
【００１３】
この万引き防止システムにおいては、
前記タグ検出手段はタグ検出用アンテナを有し、
このタグ検出用アンテナは、前記自動ドアに貼付されたフィルムアンテナで構成することができる。
このように構成すると、自動ドアに貼付されたフィルムアンテナが、万引き犯の注意を喚起することが可能となるので、万引き行為を未然に防ぐ効果を期待することができる。
【００１４】
この万引き防止システムにおいては、
前記タグ検出手段はタグ検出用アンテナを有し、
このタグ検出用アンテナは、前記自動ドアよりも店舗内側においてゲート状に設けられたアンテナで構成することができる。
このように構成すると、ゲート状のアンテナが、万引き犯の注意を喚起することが可能となるので、万引き行為を未然に防ぐ効果を期待することができる。
【００１５】
また、上記課題を解決するために本発明の万引き防止方法は、
請求項１〜４のうちいずれか一項に記載のシステムを用いた万引き防止方法であって、
前記制御手段からの警報信号を受けた係員は、前記携帯用受信機を携帯して前記自動ドアの内側に行き、閉じられた自動ドアの内側に複数の人がいる場合には、前記携帯用受信機が備える小型高利得指向性アンテナが各人に順次向くように動き、音出力部からの音の強さに基づいて、万引きの疑いのある人を特定することを特徴とする。
【００１６】
この万引き防止方法によれば、係員が、携帯用受信機が備える小型高利得指向性アンテナが各人に順次向くように動くことによって、音出力部からの音の強さに基づいて、万引きの疑いのある人を特定できるため、自動ドアを閉じた際に、複数の人が足止めされている場合でも、万引き犯と一般客とを速やかに区別することができる。
【図面の簡単な説明】
【００１７】
【図１】（ａ）は本発明に係る万引き防止システムの実施の形態を示すブロック図、（ｂ）は携帯用受信機３０のブロック図。
【図２】（ａ）は本発明に係る万引き防止システムの実施の形態を用いた自動ドアの正面図、（ｂ）は側面図。
【図３】本発明に係る万引き防止システムによる万引き防止方法の実施の形態を示す模式的平面図。
【図４】本発明に係る万引き防止システムの他の実施の形態を示す図で、（ａ）は平面図、（ｂ）は図（ａ）の正面図。
【図５】携帯用受信機３０の概略形状の一例を示す図で、（ａ）は平面図、（ｂ）は正面図、（ｃ）は側面図。
【発明を実施するための形態】
【００１８】
以下、本発明に係る万引き防止システムおよび万引き防止方法の実施の形態について図面を参照して説明する。なお、各図において、同一部分ないし相当する部分には、同一の符号を付してある。
【００１９】
図１、図２に示すように、この実施の形態の万引き防止システムは、
店舗の出口２に設置され、駆動部１１により開閉駆動される自動ドア１０と、
店舗内の商品（図示せず。以下同じ）に付される万引き防止用タグ４と、
前記自動ドア１０の内側１０Ｂにおいて前記万引き防止用タグ４を検出するタグ検出手段２０と、
係員Ａ（図３参照）が携帯する携帯用受信機３０と、
タグ検出手段２０で万引き防止用タグ４が検出されたとき、前記駆動部１１を制御して前記自動ドア１０を閉状態とするとともに、係員Ａが携帯する携帯用受信機３０に警報信号ＡＳを発する制御手段４０とを備えている。
【００２０】
そして、携帯用受信機３０は、図１（ｂ）に示すように、
前記万引き防止用タグ４からのタグ信号ＴＳを受信する小型高利得指向性アンテナ３１と、
この小型高利得指向性アンテナ３１で受信されたタグ信号ＴＳを当該タグ信号ＴＳの強弱に応じた強弱の音に変換して出力する音出力部３２とを備えている。
また、携帯用受信機３０は、制御手段４０からの警報信号ＡＳを受信するための警報信号受信アンテナ３４および警報信号受信部３５を備えており、受信された警報信号ＡＳも音出力部３２を介して係員Ａに伝達される。タグ信号による音と警報信号による音は、係員Ａが区別できるように異なる音とする。なお、３６は、タグ信号受信部である。
【００２１】
この万引き防止システムによれば、次のような作用効果が得られる。
万引き防止用タグ４が付された商品を、万引き犯が店外へ持ち出そうとすると、万引き防止用タグ４が自動ドア１０の内側１０Ｂにおいてタグ検出手段２０で検出され、制御手段４０によって、駆動部１１が制御されて自動ドア１０が閉状態にされるとともに、係員Ａが携帯する携帯用受信機３０に警報信号ＡＳが発せられる。
【００２２】
自動ドア１０が閉状態になることで、万引き犯は店外１０Ｃに出ることができなくなるとともに、携帯用受信機３０で警報信号ＡＳを受信した係員Ａは自動ドア１０の内側１０Ｂに急いで行く。
【００２３】
ここで、店外１０Ｃに出ることができなくなっている人が１人であれば、係員Ａはその人が万引き犯であると特定して対応することができる。
【００２４】
しかし、自動ドア１０が閉状態になったときに、万引き犯とほぼ同時に、あるいは少し遅れて外に出ようとする一般客がいた場合には、その一般客もやはり外に出ることができなくなる。そのため、例えば図３に示すように、複数の人Ｃ１，Ｃ２が自動ドア１０の内側１０Ｂで足止めされる状況が生じ得る。
【００２５】
ここで、仮に何らの方策も講じないとしたならば、自動ドア１０の内側１０Ｂに急行した係員Ａは、複数の人Ｃ１，Ｃ２の内のだれが万引き犯であるのかを特定することは極めて困難である。例えば持ち物検査等を行うことは、万引き犯ではない一般客に対しては、はなはだ失礼な行為となるからである。
【００２６】
これに対し、この実施の形態によれば、係員Ａが携帯する携帯用受信機３０が、万引き防止用タグ４からのタグ信号ＴＳを受信する小型高利得指向性アンテナ３１と、この小型高利得指向性アンテナ３１で受信されたタグ信号ＴＳを当該タグ信号ＴＳの強弱に応じた強弱の音に変換して出力する音出力部３２とを備えているので、例えば、係員Ａが、図３に示すＡ１位置からＡ２位置に示すように、携帯用受信機３０が備える小型高利得指向性アンテナ３１が各人Ｃ１，Ｃ２に順次向くように動く（矢印Ｒ参照）ことによって、音出力部３２からの音の強さが変動する（図示の場合、人Ｃ１に向けた場合に比べて人Ｃ２に向けた場合の方が音が大きくなる）。したがって、その音の強さに基づいて、万引きの疑いのある人（この場合Ｃ２）を特定し、対応することが可能になる。例えば、係員Ａは、自動ドア１０の閉状態を解除して自動ドア１０を開いた後、さりげなく、先に一般客（Ｃ１）を店外へと案内し、次いで、万引きの疑いのある人（この場合Ｃ２）をさりげなく拘束する等の対応が可能となる。すなわち、この実施の形態によれば、持ち物検査等を行うことによる不快感を一般客に与えることなく万引き犯を特定して対応することが可能となる。
【００２７】
以上のように、この防犯システムによれば、万引き犯（Ｃ２）を店外１０Ｃに出さないように自動ドア１０を閉じることができるようにするとともに、自動ドア１０を閉じた際に、複数の人が足止めされている場合でも、万引き犯（Ｃ２）と一般客（Ｃ１）とを速やかに区別することができる。
【００２８】
図１（ｂ）に示すように音出力部３２にはイヤホン３３が接続され、イヤホン３３以外からは音は発せられない構成となっている。
このように構成すると、携帯用受信機３０の音出力部３２からの音が係員Ａ以外には聞こえなくなるので、上述した係員Ａの動作を上記のようにさりげないものにすることで、一般客（Ｃ１）へ与えるおそれのある不快感をさらに小さくすることができる。
【００２９】
タグ検出手段２０はタグ検出用アンテナ２１を有している。
図２に示すタグ検出用アンテナ２１は、自動ドア１０に貼付されたフィルムアンテナ２２で構成されている。
【００３０】
このように構成すると、自動ドア１０に貼付されたフィルムアンテナ２２が、万引き犯の注意を喚起することが可能となるので、万引き行為を未然に防ぐ効果を期待することができる。
【００３１】
図２に示すタグ検出用アンテナ２１は、その形態が渦巻き状となっているが、万引き犯の注意を喚起することが可能であれば、任意の形態を採用し得る。
【００３２】
図４に示すように、タグ検出用アンテナ２１は、自動ドア１０よりも店舗内側１０Ｂにおいてゲート状に設けられたアンテナ２３で構成することもできる。
このように構成した場合でも、ゲート状のアンテナ２３が、万引き犯の注意を喚起することが可能となるので、万引き行為を未然に防ぐ効果を期待することができる。
【００３３】
図３を参照した説明からも分かるように、この実施の形態の万引き防止方法は、
制御手段４０からの警報信号ＡＳを受けた係員Ａが、携帯用受信機３０を携帯して自動ドア１０の内側１０Ｂに行き、閉じられた自動ドア１０の内側１０Ｂに複数の人がいる場合には、携帯用受信機３０が備える小型高利得指向性アンテナ３１が各人に順次向くように動き、音出力部３２からの音の強さに基づいて、万引きの疑いのある人を特定することを特徴としている。
【００３４】
この万引き防止方法によれば、係員Ａが、携帯用受信機３０が備える小型高利得指向性アンテナ３１が各人に順次向くように動くことによって、音出力部３２からの音の強さに基づいて、万引きの疑いのある人を特定できるため、自動ドア１０を閉じた際に、複数の人が足止めされている場合でも、万引き犯と一般客とを速やかに区別することができる。
【００３５】
自動ドア１０、その駆動部１１、万引き防止用タグ４、およびタグ検出手段２０は、いずれも公知のものを適宜選択して採用することができる。なお、万引き防止用タグ４およびタグ検出手段２０は、音響磁気方式、電波方式、磁気方式のいずれかの方式のものを採用できる。
【００３６】
携帯用受信機３０が備える小型高利得指向性アンテナ３１、タグ信号受信部３６，音出力部３２、警報信号受信アンテナ３４、および警報信号受信部３５は、いずれも公知のものを適宜選択して採用することができる。なお、小型高利得指向性アンテナ３１およびタグ信号受信部３６は、音響磁気方式、電波方式、磁気方式のいずれかの方式のタグからの信号を受信できるものを採用する。警報信号受信アンテナ３４は無指向性アンテナを用いることが望ましい。
【００３７】
携帯用受信機３０は、例えば図５に示すようなボックス形状のものとすることができる。図（ａ）においてθは指向性の角度を模擬的に表している。小型高利得指向性アンテナ３１は、携帯用受信機３０のケース外に露出させることもできる。３３ｔはイヤホン用の端子であるが、イヤホン（ヘッドホンを含む）３３はワイヤレスのものを採用することもできる。
【００３８】
自動ドア１０に設けたタグ検出用アンテナ２１は、破線で示すように駆動部１１を構成するボックス内を通じてタグ検出手段２０内の検出信号受信部に接続される。タグ検出手段２０内の検出信号受信部や制御手段４０は、店舗内の適所に設置される。
【００３９】
以上、本発明の実施の形態について説明したが、本発明は上記の実施の形態に限定されるものではなく、本発明の要旨の範囲内において適宜変形実施可能である。
例えば、
店舗の出口２は、出入り口となっている場合もある。
図３においては、一般客が１人の場合を示しているが、複数人の場合もある。万引き犯も同様に複数人の場合もある。また、図３を参照して説明した係員Ａの動きは一例であり、係員Ａはそのときの状況に応じて臨機応変に行動する。
【符号の説明】
【００４０】
２：    店舗の出口
４：    万引き防止用タグ
１０：    自動ドア
１０Ｂ：    自動ドア１０の内側
１１：    駆動部
２０：    タグ検出手段
２２：    フィルムアンテナ
２３：    ゲート状アンテナ
３０：    携帯用受信機
３１：    小型高利得指向性アンテナ
３２：    音出力部
３３：    イヤホン
【図１】
2019144773.tif 000003
【図２】
2019144773.tif 000004
【図３】
2019144773.tif 000005
【図４】
2019144773.tif 000006
【図５】
2019144773.tif 000007